(57)【要約】【課題】  ハイスティフ構造を形成する突起部の位置を変更して欠点をなくすもので、ゴムクローラの耐久性向上に極めて大きな効果をもたらすものである。【解決手段】  芯金の中央部と翼部と角部と、少なくとも一方の角部にあって平面視でこれと重なり合う位置で翼部の前後に突起部を形成し、この突起部の先端が相互に嵌り合う形状としたハイスティフ構造を形成した芯金において、当該突起部の接地側表面が前記中央部の接地側表面よりも内側に段差をもって備えられた芯金。１‥芯金、２‥翼部、３‥芯金中央部、４‥角部、５ａ、５ｂ‥突起部、１０‥ゴムクローラ、１１‥ゴム基体、１２‥メインコード、１３‥ラグ、１４‥芯金中央部を覆うゴム層、Ｓ‥段差。【選択図】  図１２
2006151347.tif 000002
【特許請求の範囲】
【請求項１】
スプロケットとの係合部となる中央部と、この左右に形成された翼部と、中央部を挟んで形成されるゴムクローラの内周面より突出する角部と、少なくとも一方の角部にあって平面視でこれと重なり合う位置で翼部の前後に突起部を形成し、この突起部の先端が相互に嵌り合う形状としたハイスティフ構造を形成した芯金において、当該突起部の接地側表面が前記中央部の接地側表面よりも内側に段差をもって備えられたことを特徴とするゴムクローラ用芯金。
【請求項２】
前記段差が３〜１０ｍｍである請求項１記載のゴムクローラ用芯金。
【発明の詳細な説明】
【技術分野】
【０００１】  本発明はハイスティフ構造のゴムクローラの改良に関するものである。
【背景技術】
【０００２】  ゴムクローラは走行中の旋回時や縁石に乗り上げた際にゴムクローラには横方向に大きな力が加わり、ゴムクローラの基体がゴムであるため、埋設されている芯金がかなり自由に動くことができる。このため、ゴムクローラと機体側の転輪との間で軌道上のズレが生じ、脱輪の発生がもたらされる。【０００３】  従って、隣り合う芯金の動きを相互に規制する目的で、ハイスティフ芯金が採用される場合がある。図１はその芯金１の半裁正面図、図２は半裁上面図、図３は側面図である。符号２は翼部、３は芯金の中央部のスプロケットとの係合部、４は一対の角部である。５ａ、５ｂはハイスティフ構造をもたらす前後の突起部である。突起部５ａの先端は尖頭部を構成している。一方、これとは逆方向に突出する突起部５ｂは先端がＶ字上の窪みを形成しており、ゴムクローラに埋設された隣り合う芯金の突起部５ａ、５ｂは嵌り合う構造となっている。そして、この突起部５ａ、５ｂの接地側表面は芯金中央部面の接地面側より突出する形状となっている。【０００４】  図４は上記の芯金を用いたゴムクローラ１０の半裁断面図である。符号１１はゴム基体、１２はメインコード、１３はラグである。１４は芯金の中央部（スプロケットとの係合部）の接地面側を覆う薄いゴム層である。【０００５】  しかるに、かかるゴムクローラを走行に供した場合、その外面側が摩耗することは避けられないが、芯金中央部３を覆うゴム層１４が最も大きな摩耗を受け、芯金中央部３の表面がすぐに露出する。そして、この中央部３に連なる突起部５ａ、５ｂもこの影響を受けてゴムの剥離が生じ、表面が露出してしまう。特に突起部５ａ、５ｂはその嵌り合い部で、上下に大きく揺動することからその近傍のゴムに大きな歪みが起こりゴム切れが発生し、摩耗が著しくなるという事実もある。【０００６】  かかる突起部５ａ、５ｂは前述したように芯金中央部３の接地側表面と同じか或いは図示するようにやや接地側に突出して形成されることが常であるため、これを覆うゴム１４の摩耗は激しく、このために突起部５ａ、５ｂが露出し易くなるものである。そして、この事象が繰り返されると、突起部５ａ、５ｂの周囲のゴムとの間に水が入り込んで芯金に錆がもたらされて剥離が起こり、ラグ１３欠けにも発展する。更に、これに起因してメインコード１２にまで影響が生じてしまうという欠点がある。
【発明の開示】
【発明が解決しようとする課題】
【０００７】  本発明は以上の欠点を解決するためになされたものであって、ハイスティフ構造を形成する突起部の位置を変更して上記したような欠点をなくそうとするものである。
【課題を解決するための手段】
【０００８】  本発明の要旨は、スプロケットとの係合部となる中央部と、この左右に形成された翼部と、中央部を挟んで形成されるゴムクローラの内周面より突出する角部と、少なくとも一方の角部にあって平面視でこれと重なり合う位置で翼部の前後に突起部を形成し、この突起部の先端が相互に嵌り合う形状としたハイスティフ構造を形成した芯金において、当該突起部の接地側表面が前記中央部の接地側表面よりも内側に段差をもって備えられたことを特徴とするものであり、前記段差の大きさは通常は３〜１０ｍｍ、好ましくは５〜７ｍｍである。
【発明の効果】
【０００９】  本発明の芯金を用いたゴムクローラが使用に供された際、段差をもって突起部が形成されていることからこれが露出してしまうことはなく、しかもその段差分だけゴムの量が増加するため、この部位におけるゴムの歪みの緩和がもたらされ、ゴム欠け等が発生しにくく、ラグ欠けの現象も起こらないという大きな効果がもたらされる。
【発明を実施するための最良の形態】
【００１０】  前記の図でも分かるように突起部５ａ、５ｂは中央部３よりも接地側に突出する形状となっている。これは突起部の先端が相互に嵌り合うハイスティフ部位をなるべくメインコードの埋設位置に近いところに置くことを狙ったものであるが、このため、逆に上記したような大きな欠点がもたらされてしまうことが判明した。【００１１】  本発明は、かかる欠点を改良するために突起部の接地側表面を中央部の接地側表面よりも段差をもって内側にあえて形成したものである。このため、突起部の接地側表面が露出することが少なくなり、勿論、この段部分だけ露出する中央部の接地側表面よりも遠方となってゴム剥離の影響が小さくなり、しかもこの段差分のゴムの増加によりゴムに加えられる歪みを吸収・緩和することができたものである。尚、かかる段差は突起部を内側に形成することによって構成されるが、これだけでなく、場合によっては、突起部は従来のままとし、中央部の接地側表面を更に接地側にする構造としてもよい。【００１２】  段差の大きさは芯金の大きさ（ゴムクローラの大きさ）によって異なるが、３〜１０ｍｍ程度、好ましくは５〜７ｍｍ程度である。【００１３】  尚、突起部は角部の一方或いは両方に対応して形成されるものである。
【実施例】
【００１４】  以下、実施例をもって本発明を更に詳細に説明する。
図５はその芯金１の半裁正面図、図６は半裁上面図、図７は底面図、図８は側面図である。符号２、３、４、５は既に説明した通りであり、ここでは説明を省略する。図５（Ａ）において、突起部５ａ、５ｂの接地側表面は芯金中央部３の接地側表面より内側に段差Ｓをもって形成されている。尚、かかる芯金１の一例として、例えば、左右幅は４３０ｍｍ、前後幅は６２ｍｍ、角部４の高さは３１．５ｍｍのものである。【００１５】  芯金中央部３の接地側表面は、翼部２の接地側表面よりも接地側に９．５ｍｍ突出している構造であり、一方、段差Ｓは６．５ｍｍである。【００１６】  尚、本発明の芯金は上記した構造のものが一般的ではあるが、図５（Ｂ）に示すように突起部５ａ、５ｂの位置関係は従来のままとし、中央部３の接地側表面を更に接地側に張り出させたものであってもよい。【００１７】  図９は上記の芯金を用いたゴムクローラ１０の内周側半裁図、図１０は外周側半裁図、図１１は側面図、図１２は半裁断面図、図１３は中央部及び角部の断面図である。符号１１、１２、１３、１４は既に説明した通りである。かかるゴムクローラ１０の左右幅は４７５ｍｍ、ゴム基体１１の厚さは５３ｍｍ、ゴム層１４の厚さは１５．５ｍｍ、ラグ１３の接地面側表面からの高さは３３ｍｍであった。【００１８】  かかるゴムクローラにあって、使用に供されることによってゴム層１４の摩耗がもたらされ、中央部３が露出することになるが、突起部５ａ、５ｂは未だ露出しないことが分かる。そして、内側に段差Ｓを設けたことにより中央部３との間に間隔が遠くなり、この分だけ摩耗してしまったゴムの端部よりも遠方に突起部５ａ、５ｂを位置させたことから、ゴム剥離が低減したものである。しかも、この段差Ｓの分だけ接地側のゴム分が増加したため、ここに加わる歪みの集中をかかるゴムによって緩和・吸収がなされ、ゴム欠け等の欠点が大きく低減したものである。【００１９】  従来のゴムクローラと本発明のゴムクローラとを１００Ｈｒ耐久した結果、従来のゴムクローラの場合には芯金中央部のゴムは欠けて芯金が露出し、しかも突起部も又露出してしまい、ラグ自体も損傷する。しかも突起部に近いメインコードをも露出することとなってしまう。一方、本発明の場合には、突起部の露出は全くなく、ラグの欠けも生じていない。
【産業上の利用可能性】
【００２０】  本発明は以上の通りであり、ハイスティフ構造のゴムクローラ全体に適用可能であり、ゴムクローラの耐久性向上に極めて大きな効果をもたらすものである。
【図面の簡単な説明】
【００２１】
【図１】図１は従来の芯金の半裁正面図である。
【図２】図２は図１の半裁上面図である。
【図３】図３は図１の側面図である。
【図４】図４は図１の芯金を用いたゴムクローラの半裁断面図である。
【図５】図５は本発明の芯金の半裁正面図である。
【図６】図６は図５の半裁上面図である。
【図７】図７は図５の底面図である。
【図８】図８は図５の側面図である。
【図９】図９は本発明の芯金を用いたゴムクローラの内周側半裁図である。
【図１０】図１０は図９の外周側半裁図である。
【図１１】図１１は図９の側面図である。
【図１２】図１２は図９の半裁断面図である。
【図１３】図１３は中央部及び角部の断面図である。
【符号の説明】
【００２２】１‥芯金、
２‥翼部、
３‥芯金中央部、
４‥角部、
５ａ、５ｂ‥突起部、
１０‥ゴムクローラ、
１１‥ゴム基体、
１２‥メインコード、
１３‥ラグ、
１４‥芯金中央部を覆うゴム層、
Ｓ‥段差。
【図１】
2006151347.tif 000003
【図２】
2006151347.tif 000004
【図３】
2006151347.tif 000005
【図４】
2006151347.tif 000006
【図５】
2006151347.tif 000007
【図６】
2006151347.tif 000008
【図７】
2006151347.tif 000009
【図８】
2006151347.tif 000010
【図９】
2006151347.tif 000011
【図１０】
2006151347.tif 000012
【図１１】
2006151347.tif 000013
【図１２】
2006151347.tif 000014
【図１３】
2006151347.tif 000015